(57)【要約】【課題】軒樋外側への雨水の回り込みが低減され、汚だれの発生を予防する軒先構造を得る。【解決手段】軒先部に設けられた軒先水切の下端部が、建物の外壁上部に設けられた吊具により固定される軒樋の外形幅の中心より建物外壁側に配置され、下端部には吊具を挿通させるための切欠が形成されている。したがって、雨量が多い場合でも、軒先水切を伝って落ちる雨水は軒樋から溢れ出すことなく軒樋内に確実に入る。また、軒先水切に切欠が形成されたことで、吊具との干渉を避けて軒先水切の下端部を吊具よりも下側に配置することができ、さらに吊具が設けられた箇所にも吊具上部に軒先水切を配設することが可能となる。【選択図】図２
2014198951.tif 000002
【特許請求の範囲】
【請求項１】
建物外側へ延出するアーム部を備えた吊具と、
軒先部の下部に前記吊具によって取り付けられた軒樋と、
前記軒先部に複数繋げて設けられると共に、断面で略Ｖの字形状に形成され、下端部が前記軒樋内かつ前記軒樋の外形幅の中心より前記建物側に配置され、前記下端部に前記吊具を挿通させるための切欠が形成された軒先水切と、
を備えた軒先構造。
【請求項２】
前記軒先水切の前記下端部が、前記吊具より下側に配置されている、
請求項１記載の軒先構造。
【請求項３】
前記軒先水切には、前記軒樋の長手方向に沿って前記切欠が複数形成されている、
請求項１又は請求項２記載の軒先構造。
【請求項４】
前記切欠は、前記軒樋の長手方向に沿って等間隔に配置されている、
請求項１〜請求項３のいずれか一項に記載の軒先構造。
【請求項５】
前記軒先水切の長手方向の端部同士が重ねられることで第１継ぎ目部が形成されている、
請求項１〜請求項４のいずれか一項に記載の軒先構造。
【請求項６】
前記軒先水切の長手方向の端部同士が離間しており、対向する当該軒先水切の端部同士を架け渡すよう継ぎ目接合用部材が一方の当該軒先水切の端部と他方の当該軒先水切の端部とに重ねられることで第２継ぎ目部が形成されている、
請求項１〜請求項５のいずれか一項に記載の軒先構造。
【請求項７】
前記第１継ぎ目部及び前記第２継ぎ目部には、接着剤又は防水剤が塗布又は貼り付けされている、
請求項１〜請求項６のいずれか一項に記載の軒先構造。
【請求項８】
前記軒先水切の前記下端部には、前記建物外側へ向かって湾曲した湾曲部が設けられている、
請求項１〜請求項７のいずれか一項に記載の軒先構造。
【請求項９】
前記切欠の上縁部は、軒先水切の長手方向に対して傾斜されている、
請求項１〜請求項８のいずれか一項に記載の軒先構造。
【請求項１０】
前記切欠の周縁側には、当該切欠の周縁部を前記建物外側へ折り返して形成された延設部が設けられている、
請求項１〜請求項９のいずれか一項に記載の軒先構造。
【請求項１１】
前記継ぎ目接合用部材の下縁部は、軒先水切の長手方向に対して傾斜されている、
請求項１〜請求項１０のいずれか一項に記載の軒先構造。
【請求項１２】
前記軒先水切と前記継ぎ目接合用部材とは同一素材とされている、
請求項１〜請求項１１のいずれか一項に記載の軒先構造。
【発明の詳細な説明】
【技術分野】
【０００１】
本発明は、軒先構造に関する。
【背景技術】
【０００２】
下記特許文献１には、軒樋吊具構造が開示されている。この軒樋吊具構造は、屋根板の略延長線上に雪避けカバーが保持され、雪避けカバーの前端部に軒先水切として斜板がそれぞれ軒樋吊具間に設けられる。斜板は後端部がビス等で雪避けカバーの前端部に固着されかつ下方に折れ曲がり、その先端部が軒樋の前壁に隙間を持って近接する。これにより、雨水は斜板に導かれ軒樋の前壁に沿って底壁まで確実に流れるため、雨水の跳ね上げが発生せず、鼻板が濡れることなく鼻板の汚れや腐食が防止できる。
【先行技術文献】
【特許文献】
【０００３】
【特許文献１】特開２００９−２８７１８５号公報
【発明の概要】
【発明が解決しようとする課題】
【０００４】
しかしながら、上記先行技術による場合、斜板が建物外側に近い所に設けられているため、雨量が多い場合雨水が軒樋に入らず溢れ出て軒樋外側に回り込み、結果として居住者等が容易に視認できる軒樋外側に汚だれが発生する可能性がある。また、軒樋吊具が配置された箇所には軒先水切が設けられていないため、雨水が雪避けカバーから直接軒樋へ落下し、水が跳ね上がって軒樋外側に回り込み、汚だれが発生する可能性がある。
【０００５】
本発明は上記問題を考慮し、軒樋外側への雨水の回り込みが低減され、汚だれの発生を予防する軒先構造を得ることが目的である。
【課題を解決するための手段】
【０００６】
請求項１記載の発明に係る軒先構造は、建物外側へ延出するアーム部を備えた吊具と、軒先部の下部に前記吊具によって取り付けられた軒樋と、前記軒先部に複数繋げて設けられると共に、断面で略Ｖの字形状に形成され、下端部が前記軒樋内かつ前記軒樋の外形幅の中心より前記建物側に配置され、前記下端部に前記吊具を挿通させるための切欠が形成された軒先水切と、を備えている。
【０００７】
請求項２記載の発明に係る軒先構造は、請求項１に記載の軒先構造において、前記軒先水切の前記下端部が、前記吊具より下側に配置されている。
【０００８】
請求項３記載の発明に係る軒先構造は、請求項１又は請求項２に記載の軒先構造において、前記軒先水切には、前記軒樋の長手方向に沿って前記切欠が複数形成されている。
【０００９】
請求項４記載の発明に係る軒先構造は、請求項１〜請求項３のいずれか一項に記載の軒先構造において、前記切欠は、前記軒樋の長手方向に沿って等間隔に配置されている。
【００１０】
請求項５記載の発明に係る軒先構造は、請求項１〜請求項４のいずれか一項に記載の軒先構造において、前記軒先水切の長手方向の端部同士が重ねられることで第１継ぎ目部が形成されている。
【００１１】
請求項６記載の発明に係る軒先構造は、請求項１〜請求項４のいずれか一項に記載の軒先構造において、前記軒先水切の長手方向の端部同士が離間しており、対向する当該軒先水切の端部同士を架け渡すよう継ぎ目接合用部材が一方の当該軒先水切の端部と他方の当該軒先水切の端部とに重ねられることで第２継ぎ目部が形成されている。
【００１２】
請求項７記載の発明に係る軒先構造は、請求項１〜請求項６のいずれか一項に記載の軒先構造において、前前記第１継ぎ目部及び前記第２継ぎ目部には、接着剤又は防水剤が塗布又は貼り付けされている。
【００１３】
請求項８記載の発明に係る軒先構造は、請求項１〜請求項７のいずれか一項に記載の軒先構造において、前記軒先水切の前記下端部には、前記建物外側へ向かって湾曲した湾曲部が設けられている。
【００１４】
請求項９記載の発明に係る軒先構造は、請求項１〜請求項８のいずれか一項に記載の軒先構造において、前記切欠の上縁部は、軒先水切の長手方向に対して傾斜されている。
【００１５】
請求項１０記載の発明に係る軒先構造は、請求項１〜請求項９のいずれか一項に記載の軒先構造において、前記切欠の周縁側には、当該切欠の周縁部を前記建物外側へ折り返して形成された延設部が設けられている。
【００１６】
請求項１１記載の発明に係る軒先構造は、請求項１〜請求項１０のいずれか一項に記載の軒先構造において、前記継ぎ目接合用部材の下縁部は、軒先水切の長手方向に対して傾斜されている。
【００１７】
請求項１２記載の発明に係る軒先構造は、請求項１〜請求項１１のいずれか一項に記載の軒先構造において、前記軒先水切と前記継ぎ目接合用部材とは同一素材とされている。      
【００１８】
請求項１記載の本発明によれば、軒先部に設けられた軒先水切の下端部が、建物の吊具により固定される軒樋の外形幅の中心より建物側に配置され、下端部には吊具を挿通させるための切欠が形成されている。したがって、雨量が多い場合でも、軒先水切を伝って落ちる雨水は軒樋から溢れ出すことなく軒樋内に確実に入る。また、軒先水切に切欠が形成されたことで、吊具との干渉を避けて軒先水切の下端部を吊具よりも下側に配置することができ、さらに吊具が設けられた箇所にも吊具上部に軒先水切を配設することが可能となる。
【００１９】
請求項２記載の本発明によれば、軒先水切の下端部が、軒樋吊具より下側に配置されている。したがって、雨水の落下高さが低くなるため、軒樋内での水の跳ね上げが低減される。
【００２０】
請求項３記載の本発明によれば、軒先水切には、軒樋の長手方向に沿って複数の切欠が形成されている。したがって、複数配置された吊具と干渉せずに軒先水切を配設することが可能となる。
【００２１】
請求項４記載の本発明によれば、前記切欠は、前記軒樋の長手方向に沿って等間隔に配置されている。したがって、一般的に等間隔に配置されている吊具と干渉せずに軒先水切を配設することが可能となる。
【００２２】
請求項５記載の本発明によれば、第１継ぎ目部では、軒先水切の長手方向の端部同士が重ねられている。したがって、継ぎ目に隙間ができず、継ぎ目より水が流入することがない。
【００２３】
請求項６記載の本発明によれば、第２継ぎ目部では、軒先水切の長手方向の端部同士が離間しており、対向する当該軒先水切の端部同士を架け渡すよう継ぎ目接合（ジョイント）用部材が一方の当該軒先水切の端部と他方の当該軒先水切の端部とに重ねられている。したがって、吊具が等間隔に配置されていない場合でも、現地で切欠加工を行うことなく軒先水切を配設することが可能となる。
【００２４】
請求項７記載の本発明によれば、第１継ぎ目部及び第２継ぎ目部には、接着剤又は防水剤が、塗布又は貼り付けされている。したがって、第１継ぎ目部及び第２継ぎ目部において軒先水切や継ぎ目用部材の浮きを防止できる。
【００２５】
請求項８記載の本発明によれば、軒先水切の下端部は、建物の外側に向かって湾曲している湾曲部が設けられている。したがって、軒先水切を伝って流れる雨水の下方向への勢いを低減できるので、雨水が軒樋の底部に衝突した際に飛散することを低減できる。
【００２６】
請求項９記載の本発明によれば、軒先水切に設けられた切欠の上縁部は、軒先水切の長手方向に対して傾斜されている。したがって、切欠の上方に雨水が流れる場合は、切欠の上縁部の傾斜を伝って切欠上縁部以外の箇所へ受け流される。つまり、切欠上縁部からの雨水の落下を低減できる。
【００２７】
請求項１０記載の本発明によれば、軒先水切に形成された切欠の周縁部には、切欠の周縁部を建物外側へ折り返して形成された延設部が設けられている。したがって、切欠の上方に雨水が流れる場合は、切欠の延設部を伝って切欠以外の箇所へ受け流される。つまり、切欠から軒樋への雨水の落下を低減できる。
【００２８】
請求項１１記載の本発明によれば、継ぎ目接合用部材の下縁部は、軒先水切の長手方向に対して傾斜されている。したがって、継ぎ目接合用部材の上方に雨水が流れる際は、継ぎ目接合用部材の下縁部の傾斜を伝って継ぎ目接合用部材以外の箇所へ受け流される。つまり、継ぎ目接合用部材の下縁部から軒樋への雨水の落下を低減できる。
【００２９】
請求項１２記載の本発明によれば、軒先水切と継ぎ目接合用部材とは、同一素材でできている。したがって、軒先水切と継ぎ目接合用部材は見た目が略同一となる。
【発明の効果】
【００３０】
請求項１記載の本発明に係る軒先構造は、軒樋外側への雨水の回り込みが低減され、汚だれの発生を予防するという優れた効果を有する。
【００３１】
請求項２記載の本発明に係る軒先構造は、軒樋内での雨水の跳ねを抑えられるため、軒樋外側への雨水の回り込みが追加部材無しで低減され、汚だれの発生を予防するという優れた効果を有する。
【００３２】
請求項３記載の本発明に係る軒先構造は、軒樋内での雨水の跳ねを抑えられるため、軒樋外側への雨水の回り込みが低減され、汚だれの発生を抑制できるという優れた効果を有する。
【００３３】
請求項４記載の本発明に係る軒先構造は、軒先水切を取り付ける際に、建築現場にて吊具に合わせて切欠を形成する加工をする必要がなく、施工期間（時間）の短縮化を図ることができるという優れた効果を有する。
【００３４】
請求項５記載の本発明に係る軒先構造は、軒先水切の継ぎ目部においても雨水を確実に軒樋に流すことができるため、雨水が跳ねて軒樋外側へ水が回り込むことが抑えられ、軒樋外側における汚だれの発生を抑制できるという優れた効果を有する。
【００３５】
請求項６記載の本発明に係る軒先構造は、軒先水切の配設作業における施工期間（時間）のさらなる短縮化を図ることができるという優れた効果を有する。
【００３６】
請求項７記載の本発明に係る軒先構造は、継ぎ目部における浮きを防止し、防水層を連続させることで防水性の向上及び見栄えの向上を図ることができるという優れた効果を有する。
【００３７】
請求項８記載の本発明に係る軒先構造は、軒樋内での雨水の跳ねを抑えられるため、軒樋外側への雨水の回り込みが低減され、汚だれの発生を一段と抑制できるという優れた効果を有する。
【００３８】
請求項９記載の本発明に係る軒先構造は、軒樋内での雨水の跳ねを抑えられるため、軒樋外側への雨水の回り込みが低減され、汚だれの発生をより抑制できるという優れた効果を有する。
【００３９】
請求項１０記載の本発明に係る軒先構造は、軒樋内での雨水の跳ねを抑えられるため、軒樋外側への雨水の回り込みが低減され、汚だれの発生をより一層抑制できるという優れた効果を有する。
【００４０】
請求項１１記載の本発明に係る軒先構造は、軒樋内での雨水の跳ねを抑えられるため、軒樋外側への雨水の回り込みが低減され、汚だれの発生をさらに抑制できるという優れた効果を有する。
【００４１】
請求項１２記載の本発明に係る軒先構造は、見栄えを向上することができるという優れた効果を有する。
【図面の簡単な説明】
【００４２】
【図１】第１実施形態に係る軒先構造を有するユニット住宅を概略的に示した外観斜視図である。
【図２】第１実施形態に係る軒先構造を有するユニット住宅の一部を示す断面図である。
【図３】第１実施形態に係る軒先構造の拡大斜視図である。
【図４】第１実施形態に係る軒先水切の接合部の拡大斜視図である。
【図５】第１実施形態に係る継ぎ目接合用部材の拡大斜視図である。
【図６】対比例に係る軒先構造の拡大断面図である。
【図７】対比例に係る軒先構造の拡大斜視図である。
【図８】第２実施形態の軒先構造の継ぎ目部分を示す拡大斜視図である。
【図９】第３実施形態に係る軒先構造の拡大断面図である。
【図１０】第４実施形態に係る軒先水切の切欠を示す拡大斜視図である。
【図１１】第５実施形態に係り、切欠上部の延設部を示す拡大斜視図である。
【図１２】第５実施形態に係り、切欠上部の延設部の変形例を示す拡大斜視図である。
【図１３】第５実施形態に係り、切欠周辺の延設部を示す拡大斜視図である。
【図１４】第６実施形態に係る継ぎ目接合用部材を示す拡大斜視図である。
【図１５】第７実施形態に係る継ぎ目接合用部材を示す拡大斜視図である。
【図１６】第８実施形態に係る軒先構造を有するユニット住宅の一部を示す断面図である。
【発明を実施するための形態】
【００４３】
[第１実施形態]
以下、図１〜図５を用いて、本発明に係る軒先構造の第一実施形態について説明する。      
【００４４】
図１には、建物としてのユニット住宅１０の外観斜視図が示されている。この図１に示されるように、ユニット住宅１０は基礎１２と、基礎１２上に据付けられた複数の建物ユニットで構成された住宅本体部１４と、住宅本体部１４の上に設けられた方形屋根形式の屋根１６とによって構成されている。
【００４５】
屋根１６は野地板１８（図２参照）と、野地板１８上に設けられた瓦２０とを含んで構成されており、これらが所定の屋根勾配で配置されている。屋根１６の住宅本体部１４より外側に突出している部分である軒先部２２には、屋根１６の外側先端部に設けられた軒先水切２４と、住宅本体部１４の鼻隠し２６に取り付けられ軒樋２８を吊る複数の吊具３０が設けられている。そして、軒樋２８には、一例として、円筒状部材で構成された縦樋３２が接続されており、外壁１１０に沿って下側へ延びるよう設けられている。これにより、降雨時等に屋根１６に雨水が落下すると、屋根１６の傾斜を伝って下に受け流され、軒樋２８に落下し、軒樋２８から縦樋３２を通ってユニット住宅１０の下部へ流れるようになっている。
【００４６】
図２に示されるように、軒樋２８は、側壁部３４と、側壁部３４の下端から水平に延びる底部３６と、底部３６の側壁部３４とは反対側から上方向に延びる傾斜部３８と、傾斜部３８の上部に形成された屈曲部４０とが一体で形成されている。つまり、軒樋２８は断面で上側に開口した形状となっている。
【００４７】
側壁部３４は、鼻隠し２６に近い側に配置されている。また、側壁部３４の上端には、軒樋断面の内側に形成された係止部としての拡幅部４２が形成されており、拡幅部４２の下部には、下側に向かって開口した第１凹部４４が形成されている。そして、底部３６は、板厚方向に貫通した貫通孔（図示省略）が形成されている。なお、底部３６の貫通孔にはドレンが設けられ、縦樋３２が接続されているが、ドレン及び縦樋３２の図示は省略している。
【００４８】
また、傾斜部３８の上部に形成された屈曲部４０は、略逆Ｖ字状に屈曲されており、屈曲部４０の上部には、下側に向けて開口した第２凹部４６が形成されている。
【００４９】
吊具３０は、鼻隠し２６に取り付けられる板状部４８と、板状部４８から鼻隠し２６の面直方向且つ鼻隠し２６の外側へ延びるアーム部５０と、アーム部５０の板状部４８側とは反対側で斜め上方に突出された突出部５２とを有している。
【００５０】
板状部４８は、鼻隠し２６と平行の板状に形成されており、板状部４８には、軒樋長手方向及び建物上下方向に間隔をあけると共に板厚方向に貫通された貫通孔５４が４箇所形成されている（貫通孔５４の図示は２箇所のみ）。そして、貫通孔５４の内径は、締結部材５６の軸部を挿入可能な大きさとなっている。
【００５１】
アーム部５０は、板状部４８の外側面５８における軒樋長手方向の中央から鼻隠し２６の面直方向且つ外側へ板状に延びている。そして、アーム部５０の上部及び下部は、軒樋長手方向に沿ってフランジ状に張り出されている。また、突出部５２は、軒樋長手方向に見て、上側に開口した略Ｃ字状に形成されている。そして、突出部５２は、軒樋２８の第２凹部４６に嵌まる大きさとなっている。
【００５２】
アーム部５０の鼻隠し２６側の端部に設けられた引掛部６０は、鼻隠し２６側に開口した略Ｃ字状に形成されている。そして、引掛部６０の下側の先端は、第１凹部４４への引っ掛けが可能となる大きさで上方向に延びている。
【００５３】
軒先水切２４は、長辺を軒樋長手方向に沿わせた矩形状のカラー鋼板等が略Ｖ字状に屈曲されて形成されている。そして、軒先水切２４は、瓦２０と野地板１８の間かつ野地板１８側に取り付けられる取付部６２と、取付部６２の下側に形成された下伸部６４と、を有している。
【００５４】
この下伸部６４の下端部６６は、軒樋２８の外形幅の中心で上下方向に沿った中心線ＣＬより鼻隠し２６側に、かつ吊具３０よりも下側に位置するよう設定されている。なお、この中心線ＣＬとは、軒樋の外形の全幅（一方の側壁の最外部と他方の側壁の最外部との寸法）における中心を意味する。本実施形態では側壁部３４から傾斜部３８の最外部６８までの水平方向での寸法の中心位置で上下方向に沿った線が中心線ＣＬとされている。さらに、下端部６６は屋根１６の先端である瓦２０の外側先端よりも鼻隠し２６の外側に位置するように設定されている。
【００５５】
図３に示されるように、軒先水切２４には、吊具３０との干渉を避けかつ挿通させるための切欠７０が形成されている。この切欠７０は、軒先水切２４の下部に下側に向って開口するように形成されている。また、図４に示されるように、一般的に吊具３０は軒先水切の長手方向で等間隔になるよう配設されるが、本実施形態の軒先水切２４は等間隔に配設された吊具と干渉しないよう切欠７０が吊具３０と同様に等間隔に設けられている。なお、軒先水切２４は、複数の軒先水切２４を軒先水切の長手方向の端部で繋げて軒先部２２に配設されるが、このうち第１継ぎ目部７２では、一方の軒先水切２４の長手方向の端部ともう他方の軒先水切２４の長手方向の端部とは、重ねて繋げられる。この重なり代Ｌは一定に設定されており、その重なり代Ｌを考慮した上で切欠７０は吊具３０と同様の等間隔になるよう形成されている。
【００５６】
図５に示されるように、第２継ぎ目部７４では吊具３０が設けられている。軒先水切２４の長手方向の端部同士が離間しており、対向する軒先水切２４の長手方向の端部同士を架け渡すよう継ぎ目接合（ジョイント）用部材７６が一方の軒先水切２４の長手方向の端部と他方の軒先水切２４の長手方向の端部とに重ねられている。これによって、吊具３０が等間隔に設けられていないイレギュラーな場合でも、吊具３０の上部に軒先水切を配設することが可能となる。
【００５７】
（第１実施形態の作用・効果）
次に、第１実施形態の作用並びに効果を説明する。
【００５８】
ここで、図６、図７に示される対比例を用いながら、本実施形態の作用並びに効果を説明することにする。なお、本実施形態と同一構成部分については同一番号を付してその説明を省略する。
【００５９】
図６に示されるように、軒先水切２１０の下端部２１２は、軒樋２８の外形幅の中心線ＣＬよりも鼻隠し２６と離れた位置に設けられている。そのため、雨量が多い場合、軒樋２８の傾斜部３８の上部から溢れ出し、軒樋２８の外側７８に雨水が回り込み、雨水による汚だれが発生する可能性がある。また、図７に示されるように、軒樋吊具が設けられている箇所は、軒先水切２１０が設けられていないため、野地板１８を伝って流れてきた雨水は野地板１８の端部２１４から軒樋２８へ落下する（図６参照）。つまり、軒先水切２１０の下端部２１２よりも高い位置から軒樋２８へ落下するため、雨水の運動エネルギーが大きくなり、軒樋２８の底部３６に接触したときに水が跳ねて飛散する。そのため、飛散した水が軒樋２８の外側７８に付着して下方へ回り込み、汚だれが発生するおそれがある。
【００６０】
これに対し本願発明では、図２に示されるように、軒先部２２に設けられた軒先水切２４の下端部６６が、鼻隠し２６に設けられた吊具３０により固定される軒樋２８の外形幅の中心線ＣＬより建物１０側に配置され、下端部６６には切欠７０が形成されている（図２、図３参照）。したがって、雨量が多い場合でも、軒先水切２４を伝って落ちる雨水が軒樋２８から溢れ出すことなく軒樋２８内に確実に入る。また、軒先水切２４に切欠７０が形成されたことで、吊具３０との干渉を避けて軒先水切２４の下端部６６を吊具３０よりも下側に配置することができ、さらに吊具３０が設けられた箇所にも吊具３０上部に軒先水切２４を配設することが可能となる。これにより、軒樋２８の外側７８への雨水の回り込みが低減され、汚だれの発生を予防する。
【００６１】
また、軒先水切２４の下端部６６が、吊具３０より下側に配置されている。したがって、雨水の落下高さが低くなるため、軒樋２８内での水の跳ね上げが低減される。これにより、軒樋２８の外側７８への雨水の回り込みが追加部材無しで低減され、汚だれの発生を予防する。さらに、下端部６６は瓦２０の外側先端よりも建物１０の外側に位置するように設定されているため、瓦２０から落下する雨水は軒先水切２４を伝うことにより軒樋２８に直接落下せず、結果として水の跳ね上げが低減される。これにより、軒樋２８の外側７８への雨水の回り込みがさらに低減され、効果的に汚だれの発生を予防できる。
【００６２】
また、図４に示されるように、軒先水切２４には、軒樋２８の長手方向に沿って複数の切欠７０が形成されている。したがって、複数配置された吊具３０と干渉せずに軒先水切２４を配設することが可能となる。これにより、軒樋２８内での雨水の跳ね上げを抑えられるため、軒樋２８の外側７８への雨水の回り込みが低減され、汚だれの発生を抑制できる。また、切欠７０は、前記軒樋２８の長手方向に沿って等間隔に配置されている。したがって、一般的に等間隔に配置されている吊具３０と干渉せずに軒先水切２４を配設することが可能となる。これにより、軒先水切２４を取り付ける際に、建築現場にて吊具３０に合わせて切欠７０を形成する加工をする必要がなく、施工期間（時間）の短縮化を図ることができる。さらに、第１継ぎ目部７２では、軒先水切２４の長手方向の端部８８、９０が重ねられている。したがって、継ぎ目に隙間ができず、継ぎ目より水が流入することがない。これにより、雨水を確実に軒樋２８に流すことができるため、雨水が跳ねて軒樋２８の外側７８へ水が回り込むことを抑えられ、軒樋２８の外側７８における汚だれの発生を抑制できる。
【００６３】
さらに、図５に示されるように、第２継ぎ目部７４では、軒先水切２４の長手方向の端部８８、９０が離間している。そして、対向する端部８８、９０を架け渡すよう、継ぎ目接合（ジョイント）用部材７６が一方の軒先水切２４の端部８８と他方の軒先水切２４の端部９０とに重ねられている。なお、この継ぎ目接合用部材７６は、略矩形状の平板を略Ｖ字状に屈曲されて形成されており、この屈曲は軒先水切２４の屈曲と略同一とされている。したがって、吊具３０が等間隔に配置されていない場合でも、軒先水切２４を短手方向に切断してその切断箇所に継ぎ目接合用部材７６を配設することで、吊具３０に合わせて手間の掛かる切欠加工を現地で行うことなく容易に軒先水切２４を配設することができる。これにより、軒先水切２４の配設作業における施工期間（時間）のさらなる短縮化を図ることができる。
【００６４】
また、軒先水切２４と継ぎ目接合用部材７６とは、同一素材でできている。したがって、軒先水切２４と継ぎ目接合用部材７６は見た目が略同一となる。これにより、見栄えを向上することができるという優れた効果を有する。
【００６５】
[第２実施形態]
次に、本発明の第２実施形態に係る軒先構造の一例について説明する。なお、前述した第１実施形態等と同一構成部分については、同一番号を付してその説明を省略する。
【００６６】
図８に示されるように、第１継ぎ目部７２における軒先水切２４同士の長手方向の端部が重ねられた重ね部分９８はブチルテープ等の接着剤８０が設けられている。なお、この接着剤８０に代えてシーリング剤等の止水剤としてもよい。さらに、図示していないが、第２継ぎ目部７４（図５参照）における軒先水切２４の長手方向の端部８８、９０と継ぎ目接合用部材７６の長手方向の端部との重ね部分も同様の構成とされている。
【００６７】
（第２実施形態の作用・効果）
次に、第２実施形態の作用並びに効果を説明する。
【００６８】
第１継ぎ目部７２及び第２継ぎ目部７４には、接着剤８０又は防水剤が塗布、又は貼り付けされている。したがって、第１継ぎ目部７２及び第２継ぎ目部７４において軒先水切２４や継ぎ目接合用部材７６の浮きを防止し、防水層を連続させることができる。これにより、防水性の向上及び見栄えの向上を図ることができる。
【００６９】
[第３実施形態]
次に、本発明の第３実施形態に係る軒先構造の一例について説明する。なお、前述した第１実施形態等と同一構成部分については、同一番号を付してその説明を省略する。
【００７０】
図９に示されるように、軒先部２２に設けられた軒先水切２４には、瓦２０と野地板１８の間かつ野地板１８側に取り付けられる取付部６２と、取付部６２の下側に形成された下伸部６４と、を有している。この下伸部６４の下端部６６には、鼻隠し２６の外側に向って曲げられた湾曲部８６が形成されており、さらに下端部６６は軒樋２８の中心線ＣＬより建物１０側に、かつ吊具３０よりも下側に位置するよう設定されている。
【００７１】
（第３実施形態の作用・効果）
次に、第３実施形態の作用並びに効果を説明する。
【００７２】
本実施形態に係る軒先水切２４に雨水が流れる場合は、軒先水切２４を伝って流れる雨水の下方向への勢いを低減できるので、雨水が軒樋２８の底部３６に衝突した際に飛散することを低減できる。これにより、軒樋２８内での雨水の跳ね上げを抑えられるため、軒樋２８の外側７８への雨水の回り込みが低減され、汚だれの発生を一段と抑制できる。
【００７３】
[第４実施形態]
次に、本発明の第４実施形態に係る軒先構造の一例について説明する。なお、前述した第１実施形態等と同一構成部分については、同一番号を付してその説明を省略する。
【００７４】
図１０に示されるように、軒先水切２４の下伸部６４には切欠７０が形成されている。この切欠７０は、下側に開口した略矩形状とされており、切欠７０の短辺側が軒先水切２４の長手方向に沿うように形成されている。そして、切欠７０の上縁部８２は、軒先水切２４の長手方向に対して傾斜されている。
【００７５】
（第４実施形態の作用・効果）
次に、第４実施形態の作用並びに効果を説明する。
【００７６】
本実施形態に係る切欠７０の上方に雨水が流れる場合は、矢印で示すように切欠７０の上縁部８２の傾斜を伝って切欠７０の上縁部８２以外の箇所へ受け流される。つまり、切欠７０の上縁部８２から軒樋２８への雨水の直接的な落下を低減できる。これにより、軒樋２８内での雨水の跳ね上げを抑えられるため、軒樋２８の外側７８への雨水の回り込みが低減され、汚だれの発生をより抑制できる。
【００７７】
[第５実施形態]
次に、本発明の第５実施形態に係る軒先構造の一例について説明する。なお、前述した第１実施形態等と同一構成部分については、同一番号を付してその説明を省略する。
【００７８】
図１１に示されるように、軒先水切２４に形成された切欠７０には、切欠７０の上縁部が建物１０の外側へ折り返された延設部１０４が設けられている。この延設部１０４は切欠７０の上縁の中心に切欠長手方向に沿って上部へ切り込みを入れ、切欠７０の上縁部を建物１０の外側(建物１０と離れる方向）に向かって折り返すことで形成される。また、図１２、図１３には、延設部のその他の形状が示されている。図１２には、切欠７０の上縁部が建物１０の外側へ折り返された延設部９２が示されているが、この延設部９２は切欠７０の側縁に沿って上部へ切り込みを入れ、切欠７０の上縁部を建物１０の外側に向かって折り返すことで形成される。図１３には、切欠７０の周縁部が建物１０の外側へ折り返された延設部９４が示されているが、この延設部９４は軒先水切２４の下端末にＹ字状の切れ込みを入れ、軒先水切の短手方向と平行の切込部から左右の側縁部と上側の略Ｖ字縁部とを鼻隠し２６の外側に向かって折り返すことで形成される。
【００７９】
（第５実施形態の作用・効果）
次に、第５実施形態の作用並びに効果を説明する。
【００８０】
図１１、図１２、図１３に示される軒先水切２４では、軒先水切２４に形成された切欠７０の周縁部には、切欠７０の周縁部が建物１０の外側へ折り返された延設部１０４、９２、９４が形成されている。したがって、切欠７０の上方に雨水が流れる場合は、矢印に示すように切欠７０の延設部を避けて切欠７０以外の箇所へ受け流される。つまり、切欠７０から軒樋２８への雨水の落下を低減できる。これにより、軒樋２８内での雨水の跳ね上げを抑えられるため、軒樋２８の外側７８への雨水の回り込みが低減され、汚だれの発生をより一層抑制できる。
【００８１】
[第６実施形態]
次に、本発明の第６実施形態に係る軒先構造の一例について説明する。なお、前述した第１実施形態等と同一構成部分については、同一番号を付してその説明を省略する。
【００８２】
図１４に示されるように、継ぎ目接合用部材１００は、平板を略Ｖ字状に屈曲されて形成されており、この屈曲は軒先水切２４の屈曲と略同一とされている。この継ぎ目接合用部材１００は、矩形状の上部１００Ａと台形状の下部１００Ｂとで構成され、上部１００Ａの上端末と軒先水切２４の上端末とは揃えられるように配置されている。また、下部１００Ｂの下縁部８４は、軒先水切２４の長手方向に対して傾斜されている。
【００８３】
（第６実施形態の作用・効果）
次に、第６実施形態の作用並びに効果を説明する。
【００８４】
本実施形態に係る継ぎ目接合用部材１００の上方に雨水が流れる際は、継ぎ目接合用部材１００の下縁部８４の傾斜を伝って継ぎ目接合用部材１００以外の箇所へ受け流される。つまり、継ぎ目接合用部材１００の下縁部８４から軒樋２８への雨水の落下を低減できる。これにより、軒樋２８内での雨水の跳ね上げを抑えられるため、軒樋２８の外側７８への雨水の回り込みが低減され、汚だれの発生をより抑制できる。
【００８５】
[第７実施形態]
次に、本発明の第７実施形態に係る軒先構造の一例について説明する。なお、前述した第１実施形態等と同一構成部分については、同一番号を付してその説明を省略する。
【００８６】
図１５に示されるように、継ぎ目接合用部材１０２は、平板を略Ｖ字状に屈曲されて形成されており、この屈曲は軒先水切２４の屈曲と略同一とされている。この継ぎ目接合用部材１０２は、矩形状の上部１０２Ａと矩形状の下部１０２Ｂとで構成され、上部１０２Ａの上端末と軒先水切２４の上端末とは揃えられるように配置されている。また、下部１０２Ｂの下縁部８４には、下縁部８４が軒先水切２４の外側へ折り返された延設部９６が設けられている。
【００８７】
（第７実施形態の作用・効果）
次に、第７実施形態の作用並びに効果を説明する。
【００８８】
本実施形態に係る継ぎ目接合用部材１０２の上方に雨水が流れる場合は、継ぎ目接合用部材１０２の延設部９６を避けて継ぎ目接合用部材１０２以外の箇所へ受け流される。つまり、下縁部８４から軒樋２８への雨水の落下を低減できる。これにより、軒樋２８内での雨水の跳ね上げを抑えられるため、軒樋２８の外側７８への雨水の回り込みが低減され、汚だれの発生をより一段と抑制できる。
【００８９】
[第８実施形態]
次に、本発明の第８実施形態に係る軒先構造の一例について説明する。なお、前述した第１実施形態等と同一構成部分については、同一番号を付してその説明を省略する。
【００９０】
図１６に示されるように、ユニット住宅１０６には、ラーメン構造で箱型に組まれたフレームとしてのフレーム１３０を備えている。このフレーム１３０の建物外側には溝形の鉄骨フレーム１０８が組み付けられている。また、鉄骨フレーム１０８の建物外側には外壁１１０が設けられ、外壁１１０の上部は締結部材５６によって、鉄骨フレーム１０８の建物外側の側壁１０８Ａに固定されている。
【００９１】
鉄骨フレーム１０８の上方には、ユニット住宅１０６の屋根部を構成する陸屋根１１２が設けられている。陸屋根１１２は、下側から下地材１１４及び防水層としての鋼板役物１１６を含んで構成されている。下地材１１４は、ラーメン構造で箱型に組まれた上記のフレーム１３０の上フランジ上に設置されている。
【００９２】
鋼板役物１１６は、一例としてＤＮ鋼板により形成されており、下地材１１４に沿って設けられている。また、鋼板役物１１６の外側の端部には、外壁１１０の外側に外壁１１０と平行に配置された側壁部１１６Ａが一体に設けられている。
【００９３】
軒先部１１８は、鋼板役物１１６の側壁部１１６Ａと共に外壁１１０に取り付けられた軒先水切１２０と、軒先水切１２０及び側壁部１１６Ａと共に外壁１１０に取り付けられ軒樋２８を吊る吊具３０とを有している。
【００９４】
軒先水切１２０は、長辺を軒樋長手方向に沿わせた矩形状のカラー鋼板等が略逆Ｕ字状に屈曲されて形成されている。そして、軒先水切１２０は、吊具３０の板状部４８と鋼板役物１１６の側壁部１１６Ａとの間に取り付けられる取付部１２２と、取付部１２２の上端から建物外側へ延びる庇部１２４と、庇部１２４の建物外側の端部から下側へ延びる下伸部１２６と、を有している。
【００９５】
この下伸部１２６の下端部１２８は、軒樋２８の外形幅の中心で上下方向に沿った中心線ＣＬより外壁１１０側に、かつ吊具３０よりも下側に位置するよう設定されている。また、軒先水切１２０の下伸部１２６には切欠７０が形成されており、さらに複数の軒先水切１２０を繋げて第１継ぎ目部７２及び第２継ぎ目部７４が設けられ、第２継ぎ目部７４には継ぎ目接合用部材７６が設けられている。
【００９６】
（第８実施形態の作用・効果）
次に、第８実施形態の作用並びに効果を説明する。
【００９７】
図１６に示されるように、軒先部１１８に設けられた軒先水切１２０の下端部１２８が、軒樋２８の外形幅の中心線ＣＬより外壁１１０側に配置され、下端部１２８には切欠７０が形成されている。したがって、フラットルーフ（陸屋根）構造の建物においても、雨量が多い場合に軒先水切１２０を伝って落ちる雨水が軒樋２８から溢れ出すことなく軒樋２８内に確実に入る。また、軒先水切１２０に切欠７０が形成されたことで、吊具３０との干渉を避けて軒先水切１２０の下端部１２８を吊具３０よりも下側に配置することができ、さらに吊具３０が設けられた箇所にも吊具３０上部に軒先水切１２０を配設することが可能となる。これにより、軒樋２８の外側７８への雨水の回り込みが低減され、汚だれの発生を予防する。
【００９８】
以上、本発明の実施形態について説明したが、本発明は、上記に限定されるものでなく、その主旨を逸脱しない範囲内において上記以外にも種々変形して実施することが可能であることは勿論である。
【符号の説明】
【００９９】
１０   ユニット住宅
２２   軒先部
２４   軒先水切
２８   軒樋
３０   吊具
５０   アーム部
６６   下端部
７０   切欠
７２   第１継ぎ目部
７４   第２継ぎ目部
７６   継ぎ目接合用部材
８０   接着剤
８２   上縁部
８４   下縁部
８６   湾曲部
８８   軒先水切の長手方法の端部
９０   軒先水切の長手方法の端部
９２   延設部
９４   延設部
１０４ 延設部
１０６ ユニット住宅（建物）
１１８ 軒先部
１２０ 軒先水切
１２８ 下端部
【図１】
2014198951.tif 000003
【図２】
2014198951.tif 000004
【図３】
2014198951.tif 000005
【図４】
2014198951.tif 000006
【図５】
2014198951.tif 000007
【図６】
2014198951.tif 000008
【図７】
2014198951.tif 000009
【図８】
2014198951.tif 000010
【図９】
2014198951.tif 000011
【図１０】
2014198951.tif 000012
【図１１】
2014198951.tif 000013
【図１２】
2014198951.tif 000014
【図１３】
2014198951.tif 000015
【図１４】
2014198951.tif 000016
【図１５】
2014198951.tif 000017
【図１６】
2014198951.tif 000018